(57)【要約】【課題】装飾層自体が部材本体の表面を隠蔽すると共に光輝性のある優れた外観を形成する釣り用具を提供すること。【解決手段】外側表面に装飾層２８が形成された竿管１２，１４，１６部材を有する釣り用具であって、前記装飾層２８は、透明状の樹脂に、光輝性を有する装飾粒子３２と光を遮る遮光粒子３４とを混入した樹脂層３０から形成される釣り用具。【選択図】      図２
2008086241.tif 000002
【特許請求の範囲】
【請求項１】
外側表面に装飾層が形成された部材を有する釣り用具であって、前記装飾層は、透明状の樹脂に、光輝性を有する装飾粒子と光を遮る遮光粒子とを混入した樹脂層から形成されることを特徴とする釣り用具。
【請求項２】
前記遮光粒子は、単位厚さ当たりの遮光率が部材本体よりも高いことを特徴とする請求項1に記載の釣り用具。
【請求項３】
前記遮光粒子は、前記部材本体の外側表面よりも光吸収率が高いことを特徴とする請求項1又は２に記載の釣り用具。
【請求項４】
前記装飾層は、部材本体側に遮光粒子を配置し、装飾層を表面側配置したことを特徴とする請求項１から３のいずれか１つに記載の釣り用具。
【請求項５】
前記部材本体は、強化繊維に合成樹脂を含浸したプリプレグを巻回して形成した管状構造を有することを特徴とする請求項１から４のいずれか１つに記載の釣り用具。
【請求項６】
外側表面に装飾層が形成された部材を有するゴルフ用具であって、前記装飾層は、透明状の樹脂に、光輝性を有する装飾粒子と光を遮る遮光粒子とを混入した樹脂層から形成されていることを特徴とする特徴とするゴルフ用具。
【発明の詳細な説明】
【技術分野】
【０００１】
本発明は、外側表面に装飾層を形成した部材を有する釣り用具およびゴルフ用具に関する。
【背景技術】
【０００２】
例えば釣り竿等の釣り用具には、強化繊維に合成樹脂を含浸したプリプレグを巻回して管状の部材本体を形成し、この管状の部材本体の外側の樹脂層等で平滑処理した平滑面上に、例えばアルミニウム、金あるいは銀等の適宜の金属の蒸着層を形成し、この蒸着層に光輝性抑制物質を含ませ、この光輝性抑制物質により、入射した光の一部を吸収あるいは屈折させて入射光の強度を弱め、これにより全体の光輝性を抑えることが知られている（例えば特許文献１参照）。
【０００３】
このような光輝性抑制物質を含む金属蒸着層は、光輝性抑制物質が金属蒸着層の光輝性を抑制することにより、蒸着層の金属本来の色である目的とする色彩が濃く表される。
【特許文献１】特開平１１−９８９３７号公報
【発明の開示】
【発明が解決しようとする課題】
【０００４】
しかし、このような部材では、金属蒸着層の表面に位置する光輝性抑制物質が入射光を吸収・屈折させる等して反射を抑制するものであるため、表面に位置した光抑制物質だけが光の反射を抑制する効果があるだけで、全体的な反射抑制効率はよくない。また、金属蒸着層が光が透過するような薄膜状に形成され、部材本体の表面からの反射光が透過して外部から見える状態では、蒸着層内部の光抑制物質の効果を発揮したとしても、その部材本体の表面に露出した強化繊維、あるいは樹脂の流れによる色むら等の美観を阻害する要因となる美観阻害部が隠蔽されることなく、外部から見えることになる。
【０００５】
このような部材本体の美観阻害部は、下地層を形成することにより、外部から見えなくすることができるとしても、その作業工程が増え、時間と費用が増大する。また、下地を設けたことにより重量が増加する。
【０００６】
本発明は、このような事情に基づいて成されたもので、装飾層自体が部材本体の表面を隠蔽すると共に光輝性のある優れた外観を形成する釣り用具を提供することを目的とする。
【課題を解決するための手段】
【０００７】
上記目的を達成するため、本発明によると、外側表面に装飾層が形成された部材を有する釣り用具であって、前記装飾層は、透明状の樹脂に、光輝性を有する装飾粒子と光を遮る遮光粒子とを混入した樹脂層から形成される釣り用具が提供される。
【０００８】
前記遮光粒子は、単位厚さ当たりの遮光率が部材本体よりも高いことが好ましい。
【０００９】
前記遮光粒子は、前記部材本体の外側表面よりも光吸収率が高いことが好ましい。
【００１０】
また、前記遮光粒子は、前記装飾層内の部材本体側に配置され、前記装飾粒子は、前記装飾層内の表面側に配置してもよい。
【００１１】
更に、前記部材本体は、強化繊維に合成樹脂を含浸したプリプレグを巻回して形成した管状構造を有するものであってもよい。
【００１２】
更に、本発明によると、外側表面に装飾層が形成された部材を有するゴルフ用具であって、前記装飾層は、透明状の樹脂に、光輝性を有する装飾粒子と光を遮る遮光粒子とを混入した樹脂層から形成されるゴルフ用具が提供される。
【発明の効果】
【００１３】
本発明の釣り用具によると、遮光粒子が部材本体の外側表面からの反射光を遮るための下地層を形成することなく、装飾層で部材本体の表面を隠蔽すると共に装飾粒子による光輝性のある優れた外観を形成することができる。
【００１４】
遮光粒子が部材本体の外側表面よりも光吸収率が高い場合には、反射光を吸収することにより、装飾層の外部に透過させる光を減少させ、光輝性のある穏やかな発色を得ることができる。
【００１５】
また、遮光粒子が部材本体側に配置され、装飾粒子が表面側に配置される場合には、装飾粒子による光輝性が高く、重厚な発色が得られる。
【００１６】
更に、部材本体が強化繊維に合成樹脂を含浸したプリプレグを巻回して形成した管状構造を有する場合には、部材本体を長尺に形成しても、軽量化を図りつつ光輝性のある釣り用具を形成することができる。
【００１７】
また、このような装飾層を有するゴルフ用具も、遮光粒子が部材本体の外側表面からの反射光を遮るための下地層を形成することなく、装飾層で部材本体の表面を隠蔽すると共に装飾粒子による光輝性のある優れた外観を形成することができ、例えばゴルフシャフトとして極めて有益である。
【発明を実施するための最良の形態】
【００１８】
図１は、本発明の好ましい実施形態による釣り用具としての釣り竿１０を示す。
【００１９】
本実施形態における釣り竿１０は、小径竿管を順に大径の竿管内に収容する例えば振出式の釣り竿として形成してあり、図１の（Ａ）に示すように、先端から順に穂先竿である小径竿管１２と、例えば３本である複数本の中竿管１４と、最も大径の元竿管１６とを有し、釣人が握持する握り部１８をこの元竿管１６の竿尻側に形成してある。この釣り竿１０は、中通し式に形成してあり、元竿管１６に配置したリールシート２０に釣糸を収容する魚釣用リール（図示しない）を取付け、この魚釣用リールから繰出した釣糸を釣糸導入口２２から内部に導入し、穂先に設けたトップガイド２４から外部に送り出すことができる。魚釣用リールは、スピニングリールあるいは両軸リールを用いることができる。この釣り竿１０は、図示のような振出式の他にも、並継ぎ式あるいは印籠継ぎ式等の他の適宜の継合形式を採用して長尺の釣り竿とすることもできる。
【００２０】
本実施形態の釣り竿１０を形成する部材である各竿管１２，１４，１６は、通常と同様に、炭素繊維等の強化繊維にエポキシ樹脂等の合成樹脂を含浸した繊維強化プリプレグ（以下の説明では、単にプリプレグと称する）を、その繊維方向が周方向、軸方向あるいは軸線に対して適宜角度に傾斜した偏向方向となるように引き揃えて、図示しない芯金の上に巻回し、管状構造に積層して形成した本体を備える。
【００２１】
図１の（Ｂ）は、このようにプリプレグを積層して形成した管状構造の本体のうち、中竿管１４の管状本体２６について例示する。このような管状本体２６は、管状構造に巻回したプリプレグの外周部に緊締用テープ（図示しない）が側縁部を重ねつつ螺旋状に巻回され、この緊締用テープの締付け力により、管状本体２６を芯金上に加圧される。そして、所要温度で所定時間にわたって焼成され、硬化した後、芯金と共に緊締用テープを取外すことにより、管状本体２６が形成される。通常、このように形成した管状本体２６の外側表面２６ａには、緊締用テープの厚さによる凹凸、プリプレグの樹脂の流動による強化繊維の蛇行、プリプレグの端部間の接合部、あるいは緊締用テープ２４の側縁部による段部等による色むらや凹凸等の美観を害する美観阻害部が発生する。このような美観阻害部は、管状本体２６の機能に悪影響を与えるものではないが、優れた美観を形成するためには、排除することが好ましいものである。
【００２２】
本実施形態の管状本体２６は、このような美観に悪影響を与える美観阻害部が外部から見えるのを阻止しつつ光輝性のある外観を形成する装飾層２８が、外側表面２６ａに直接形成されている。
【００２３】
図２に示すように、本実施形態の装飾層２８は、例えばウレタン系、エポキシ系、アクリル系あるいはフッ素系等の透明状の樹脂からなる樹脂層３０中に、光輝性を有する装飾粒子３２と、管状本体２６の外側表面からの反射光を遮る遮光粒子３４とを混入させて形成してある。なお、本明細書中で、透明状とは、入射した光を１００％透過するものに限らず、一部のみを透過する半透明のものも含み、更に、色彩についても無色透明および着色透明も含む概念である。また、遮光粒子は、粒子に入射した光を透過することを妨げる粒子をいう。
【００２４】
図３の（Ａ）に模式的に示すように、本実施形態の装飾粒子３２は、例えば２００ｎｍ〜７００ｎｍ程度の厚さを有する平坦な薄片状の雲母（天然鉱物もしくは合成）等のコア部材３６を、例えば１００ｎｍ〜４００ｎｍの厚さを有する二酸化チタン等の透明な被覆層３８で覆った光輝性のある顔料の粒子で形成してある。このような装飾粒子３２は、コア部材３６と被覆層３８とが平行な板状に積層され、各層の境界で生じる入射光の規則的かつ多重反射により、天然真珠が発するパール光沢のような光輝性を実現することができる。
【００２５】
また、図３の（Ｂ）に模式的に示すように、遮光粒子３４も、装飾粒子３２と同様に、平坦な薄片状の雲母（天然鉱物もしくは合成）等コア部材４０を有し、このコア部材４０を酸化鉄４２等で被覆形成してある。遮光粒子３４が管状本体２６の外側表面２６ａよりも高い光吸収率を有する場合には、管状本体２６の外側表面２６ａからの反射光を遮光粒子３４が吸収することによって装飾層２８の外部に透過させる光を減少させ、また装飾粒子３２を透過する光も減少し、外観としては、光輝性のある穏やかな発色を得ることができる。なお、光吸収率は、通常の反射率測定機を用いて測定することができる。
【００２６】
図２に示すように、このような装飾粒子３２と遮光粒子３４とが、その平坦状に延在する面が管状本体２６の外側表面２６ａに沿って略平行となるように、装飾層２８に配置される。このように遮光粒子３４が装飾粒子３２と共に樹脂層３０内に配置されることにより、外部から入射した光は、符号Ｌ１で示すように、一部が装飾粒子３２および遮光粒子３４で阻害されることなく、その間隙を通して管状本体２６の外側表面２６ａに到達し、更に、この外側表面２６ａで反射してそのまま外部に透過する。しかし、符号Ｌ２およびＬ３で示すように、装飾粒子３２および遮光粒子３４間の間隙を介して外側表面２６ａに到達した光、および、装飾粒子３２を透過して外側表面２６ａに到達した光は、その大部分が、外側表面２６ａで反射した後に遮光粒子３２で遮られ、装飾層２８の外部にまでは透過しない。これにより、管状本体２６の外側表面２６ａに形成される凹凸あるいは色むら等の、美観に悪影響を与える表面模様等の美観阻害部が外部から見えなくなる。
【００２７】
一方、装飾粒子３２は、外部から入射した光を反射して、例えばパール状光沢の光輝性ある外観を形成する。
【００２８】
図４は、種々の装飾層が管状本体２６の外観に及ぼす効果を、外部からの光Ｌの反射として概略的に示す。
【００２９】
図４の（Ａ）に示すように、管状本体２６の外側表面２６ａに下地塗装層６を形成し、この下地塗装層６の上に、透明樹脂中に顔料４を混入した装飾層８ａを重ねた場合には、外部の光は管状本体２６の外側表面２６ａに到達せず、したがって、外側表面２６ａは外観に悪影響を与えることはない。しかし、下地塗装層６を必要とすることにより、重量が増加し、作業工程の増加によりコストが増大する。また、層間の境界部における剥離の問題も生じる。
【００３０】
また、図４の（Ｂ）に示す装飾層８ｂのように、透明樹脂中に、例えば上述の装飾粒子３２と同様な顔料４を混入し、この装飾層８ｂを管状本体２６の外側表面２６ａに直接形成した場合には、この外側表面２６ａが反射光として外部に透過し、外観に悪影響を与える。この場合、透明樹脂中に黒い染料を混入すると、外側表面２６は隠蔽されるが、装飾層８ｂの全体が黒ずみ、顔料４の装飾効果も得られなくなる。
【００３１】
これに対し、図４の（Ｃ）に示すように、装飾粒子３２と遮光粒子３４とを透明樹脂中に混入した装飾層２８の場合は、外部の光Ｌのほとんどが外部にまで透過せず、したがって、図４の（Ａ）に示すような下地塗装層６を形成しなくても、外側表面２６ａが外観に悪影響を及ぼすことはほとんどなく、しかも、装飾粒子３２による光輝性のある優れた外観を形成することができる。
【００３２】
このような光輝性のある管状本体２６の外側に形成する装飾層２８は、厚さ２０μｍ〜１５０μｍに形成し、平坦な面方向に沿う最大寸法である粒径を３μｍ〜１００μｍ、より好ましくは５μｍ〜３０μｍに形成した装飾粒子３２および遮光粒子３４を、透明状の樹脂層３０に対して５〜３０重量パーセント混入することが好ましい。この装飾層２８の厚さを２０μｍより薄くすると、装飾粒子３２および遮光粒子３４の含有量が低下し、１５０μｍより厚くすると、竿管の重量が重くなり、本来の目的である軽量化を達成できない（１回塗りとした利点が得られない）。また、粒径が３μよりも小さいと、隠蔽効果および装飾効果が低下し、１００μｍよりも大きいと、粒子による塗膜表面の凹凸、塗膜高度、塗膜密着力、樹脂への給水等の悪影響を与えることになる。また、樹脂層３０に対するこれらの粒子の全体の混合量を５重量パーセントよりも少なくすると、粒子密度が低下し、３０重量パーセントよりも多くなると、装飾層２８の物性が低下する。物性の低下とは、具体的には塗膜強度、塗膜密着力、プリスターの発生に悪影響を及ぼす意味である。
【００３３】
樹脂層３０内に混入されるこれらの装飾粒子３２および遮光粒子３４の混合比率は、外側表面２６ａの掩蔽性と管状本体２６の外観の光輝性とを考慮すると、５：５であることが好ましいが、装飾粒子３２および遮光粒子３４の粒子全体に対する遮光粒子３４の比率を３／１０から７／１０の範囲で増減してもよい。この場合、遮光粒子３４の比率が高まると、外側表面２６ａの隠蔽性は高まるが、光輝性は低下する。逆に、装飾粒子３２の比率が高まると、外側表面の隠蔽性は低下するが、光輝性は増大する。
【００３４】
実際に、樹脂層３０に対する装飾粒子３２および遮光粒子３４の全体の混合量を５重量パーセントとし、装飾粒子３２と遮光粒子３４との配合比率を変え、外観を色調すなわち光輝性と管状本体２６の外側表面２６ａの隠蔽性とから評価した。その結果は、表１に示す。
【表１】
2008086241.tif 000003
【００３５】
この表中、Ａは最も良好な結果を示し、Ｅは最も悪い結果を示し、ＢからＤまで、順に評価が悪いことを示す。この結果、Ｅの評価では、実用上問題があるものの、Ａ〜Ｄの評価では充分な光輝性を発現すると共に、管状本体２６の外側表面２６ａの充分な隠蔽効果も得られることが判明した。
【００３６】
このような装飾層２８を外側表面２６ａに直接形成した管状本体２６は、この外側表面２６ａの反射光が外部まで到達せず、この外側行面２６ａが管状本体２６の外観に悪影響を与えず、したがって、管状本体２６の外側表面２６ａ、特に美観阻害部を隠蔽すると共に装飾粒子３２による光輝性のある優れた外観を形成する。しかも、装飾層２８が外側表面２６ａに直接形成されるため、従来の下地塗装層６（図４の（Ａ））は不要であり、このような下地塗装層６の加工工程および加工費用を削減すると共に、重量を低減することができる。特にこのような重量の低減は、釣り竿のように長尺の部材を形成する場合に、穂先側重量を低減することができ、極めて有益である。更に、下地塗装層６と装飾層８ａとの間の密着性に関する不安要素も解消される。
【００３７】
図５は、変形例による装飾層２８Ａを示す。この変形例の装飾層２８Ａは、樹脂層３０内で、遮光粒子３４が管状本体２６の外側表面２６ａに近い部位に配置され、装飾粒子３２が、装飾層２８Ａ内の表面側に配置されている。
【００３８】
このように、遮光粒子３４を管状本体２６側に配置するには、次のような方法で行うことができる。
【００３９】
先ず、管状本体２６の外側表面２６ａに、樹脂層３０の遮光粒子３４のみを混入した塗料を、例えばガン吹き、しごき塗り、ハケ塗り等で塗布する。この塗料が乾燥する前に、重ねて、装飾粒子３２のみを混入した樹脂層３０を同様な方法で塗布する。この後、乾燥させることにより、装飾層２８Ａを形成することができる。乾燥前の塗り重ねのため、塗布した塗料界面はなじみ合い、同一膜に形成される。
【００４０】
このような装飾層２８Ａを形成した管状本体２６は、外側表面２６ａ側に遮光粒子３４が配置されることで、この外側表面２６ａからの反射光の吸収率が上がり、または、遮光することにより、この外側表面２６ａの隠蔽効果を増大することに加え、装飾粒子３２が装飾層２８Ａの表面近くに配置されることにより、光輝性が向上する。
【００４１】
上述の実施形態および変形例では、装飾粒子３２のコア部材３６に雲母を用いたが、雲母の他にも、例えばアルミニウム、金、銀等の金属を用いて金属光沢状の光輝性をもたせることができる。また、被覆層３８には、二酸化チタンの他にもフッ化マグネシウム、酸化チタン、酸化クロム、あるいはセラミックス等を用いることができる。また装飾粒子３２は、パール光沢あるいは金属光沢のような光輝性のある色彩を有する粒子で形成するだけでなく、透明性粒子で形成することもできる。透明性粒子で形成する場合には、透明金属薄膜チップあるいはガラスフレークの多層構造の薄膜状樹脂チップあるいはホログラムチップ等を用いることができる。更に、装飾粒子３２として、金属の紛体などを用いることもできる。
【００４２】
また、遮光粒子３４は、遮光機能があって、光吸収率が高いものであればよく、アルミニウム等の金属箔あるいは極薄板材をコア部材３６として用いてもよい。
【００４３】
また、このような装飾粒子３２および遮光粒子３４を混入した装飾層２８は管状本体２６の外側表面２６ａに直接形成しなくてもよく、装飾層２８は複数層によって形成してもよい。
【００４４】
なお、上述の実施形態あるいは変形例では、釣り竿１０を形成する部材である竿管１２，１４，１６に形成する管状本体２６を例にとって説明したが、ゴルフクラブのシャフト等のゴルフ用具やテニスラケット等のスポーツ用具を形成する部材にも用いることができる。更に、管状構造の部材に限らず、表面に装飾層を有するものであれば、板状構造であってもよく、その材質も、繊維強化樹脂に限らず、金属あるいは樹脂等であってもよい。
【図面の簡単な説明】
【００４５】
【図１】本発明の好ましい実施形態による管状部材を用いた釣り竿を示し、（Ａ）はその全体図、（Ｂ）は（Ａ）のＢ−Ｂ線に沿う竿管の断面図。
【図２】図１の竿管の模様層を説明する図。
【図３】図２の模様層内の粒子の説明図。
【図４】種々の模様層による外観の相違を説明する図。
【図５】変形例による模様層の図２と同様な説明図。
【符号の説明】
【００４６】
１０…釣り竿（釣り具）、１２，１４，１６…竿管、２６…部材本体、２６ａ…外側表面、２８…装飾層、３０…樹脂層、３２…装飾粒子、３４…遮光粒子。
【図１】
2008086241.tif 000004
【図２】
2008086241.tif 000005
【図３】
2008086241.tif 000006
【図４】
2008086241.tif 000007
【図５】
2008086241.tif 000008